(57)【要約】【課題】鍵の着脱が容易なキーリングを提供すること。【解決手段】キーリング１０における第一閉環部１０ａは、第一及び第二閉環形成部１１，１２の重ね合わせにより形成される。第一及び第二閉環形成部は、開口部１１ａ，１２ａを有する開環形状にされており、各開口部は、第一及び第二閉環形成部が互いに重ね合わされた状態で、他方の閉環形成部により閉塞される。第二閉環部１０ｂは、第一及び第二閉環形成部が重ね合わされると、接続部１３により形成される。接続部は、第一及び第二閉環形成部に接続されており、概略Ｕ字状にされている。このキーリングでは、接続部１３を広げるようにして変形すると、キーリングが開口して開環形状になるから、その状態で、鍵２０の孔部２１に閉環形成部を挿通すると、鍵を、容易に接続部に吊り下げることができる。【選択図】　図３
2004105277.tif 000002
【特許請求の範囲】
【請求項１】
互いに重ね合わされて第一の閉環部を形成する第一及び第二の閉環形成部と、
該第一及び第二の閉環形成部を分離可能に接続する接続部と、
からなり、
前記接続部は、前記第一及び第二の閉環形成部が重ね合わされると、第二の閉環部を形成し、前記第一の閉環形成部から前記第二の閉環形成部が分離されると、該第二の閉環部を開口することを特徴とするキーリング。
【請求項２】
前記第一及び第二の閉環形成部は、開口部を有する開環形状にされ、互いに重ね合わされると、互いの開口部を閉塞して、前記第一の閉環部を形成することを特徴とする請求項１に記載のキーリング。
【請求項３】
前記接続部は、バネ材で形成されていることを特徴とする請求項１又は請求項２に記載のキーリング。
【請求項４】
前記第一及び第二の閉環形成部、及び前記接続部は、バネ線材で一体に形成されていることを特徴とする請求項１〜請求項３のいずれかに記載のキーリング。
【請求項５】
前記第一及び第二の閉環形成部の夫々は、互いに重ね合わされて接触する面とは反対方向に、一部反り返えされていることを特徴とする請求項１〜請求項４のいずれかに記載のキーリング。
【発明の詳細な説明】
【０００１】
【発明の属する技術分野】
本発明は、鍵を吊り下げて保持するためのキーリングに関する。
【０００２】
【従来の技術】
従来より、キーホルダ等に鍵を吊り下げて保持するためのキーリングとしては、バネ線材を二重に巻き回してループ状にした構成のものが、よく知られている。図１２（ａ）は、そのキーリング７０の構成を表す説明図である。図１２（ａ）に示すようなキーリング７０では、一端を開いて、鍵２０の孔部２１にキーリング７０の一端を通し、鍵２０を回すようにしてキーリング７０内に鍵２０を閉じ込め、キーリング７０から鍵２０が抜け落ちることのないようにする。
【０００３】
また、図１２（ｂ）に示すように、一部が開口された開環形状のキーリング８０を、鍵２０に取り付けたあと、そのキーリング８０の開口部を加締めて閉塞することにより、キーリング８０を閉環形状として、キーリング８０から鍵２０が抜け落ちないようにする例もある。
【０００４】
【発明が解決しようとする課題】
しかしながら、上記従来技術のキーリング７０，８０では、鍵２０の着脱が行い辛いといった問題があった。具体的に説明すると、上記前者の二重巻きキーリング７０では、そのキーリング７０の一端を開く際に、バネ線材の弾性が一端を閉じる方向に強く働いてしまうため、キーリング７０の一端に鍵２０の孔部２１を通し辛いという問題があった。
【０００５】
また更に、二重巻きキーリング７０では、巻き回されたバネ線材に沿って、鍵２０を回すようにして着脱しなければならないため、その操作が煩わしかった。また何回も着脱すると、キーリング７０が変形して元の形状に戻らなくなってしまう問題もあった。その他、相手部品（鍵）に樹脂や硬度の低い材料が用いられていると、キーリング端面でその相手部品を傷つけてしまう問題があった。
【０００６】
一方、後者のキーリング８０では、一度加締めてしまうと、専用の工具等を用いなければ、閉じた開口部を再び開くことができず、鍵２０が取り外し辛いといった問題があった。また、鍵２０の取り付け時においても、専用の工具を用いて、開口部を加締めなければならないため、鍵２０の取り付けが面倒であった。
【０００７】
本発明は、こうした問題に鑑みなされたものであり、鍵の着脱が容易なキーリングを提供することを目的とする。
【０００８】
【課題を解決するための手段】
かかる目的を達成するためになされた請求項１に記載のキーリングは、互いに重ね合わされて第一の閉環部を形成する第一及び第二の閉環形成部と、第一及び第二の閉環形成部を分離可能に接続する接続部と、からなる。接続部は、第一及び第二の閉環形成部が重ね合わされると、第二の閉環部を形成し、第一の閉環形成部から第二の閉環形成部が分離されると、第二の閉環部を開口する。
【０００９】
尚、本発明でいう閉環は、完全に閉じた環の他、取付物（鍵）に対して閉じた環として機能する形状のものを含むものとする。即ち、環に切れ目があっても、その切れ目が、取付物に対して微細な切れ目である場合、本発明では、その環を、閉環と表現することにする。
【００１０】
本発明（請求項１）によれば、第一及び第二の閉環形成部が重ね合わされると、接続部が第二の閉環部を形成し、第一の閉環形成部から第二の閉環形成部が分離されると、第二の閉環部が開口されるから、接続部を操作して第一の閉環形成部から第二の閉環形成部を分離し、その状態で、鍵の孔部に第一又は第二の閉環形成部を挿通して、接続部に鍵を吊り下げた後、第一の閉環形成部と第二の閉環形成部とを重ね合わせれば、鍵を脱離しないようにして第二の閉環部に取り付けることができる。
【００１１】
また、第一及び第二の閉環形成部は重ね合わされると、第一の閉環部を形成するから、その第一の閉環部にキーホルダの止め具等を取り付ければ、当該キーリングを介して、キーホルダに鍵を取り付けることができる。
即ち、本発明のキーリングによれば、接続部を操作して第一の閉環形成部から第二の閉環形成部を分離することで、従来の二重巻きキーリングのように、鍵を回す必要もなく、簡単に鍵を第二の閉環部に取り付けることができる。また、第一の閉環形成部から第二の閉環形成部を分離すれば、簡単に鍵をキーリングから取り外すことができる。その他、従来の二重巻きキーリングのように鍵を回して付け外しする必要がないから、複数回の鍵の着脱によってキーリングが歪み変形してしまうのを抑制することができる。
【００１２】
その他、従来の丸型キーリング７０に、本発明のキーリングの第一の閉環部を複数連結することで、複数のキーを保持できると共に、第一の閉環部がキーリング７０にて第一及び第二の閉環形成部を連絡するので、従来のキーリング８０のように引っ張りで変形し、脱落するのを防止することができる。
【００１３】
ところで、第一及び第二の閉環形成部は、閉環形状にされていてもよいが、閉環形状であると、第一の閉環部には、紐や、開口可能なキーホルダの止め具、などしか取り付けることができないことになってしまう。したがって、請求項１に記載のキーリングにおいては、第一及び第二の閉環形成部を、請求項２に記載のように開環形状にすると良い。
【００１４】
請求項２に記載の発明は、請求項１に記載のキーリングにおいて、第一及び第二の閉環形成部が、開口部を有する開環形状にされ、互いに重ね合わされると、互いの開口部を閉塞して、第一の閉環部を形成する構成にされていることを特徴とする。
【００１５】
請求項２に記載のキーリングにおいては、第一及び第二の閉環形成部が夫々、開環形状にされているから、第一及び第二の閉環形成部を分離して、第一及び第二の閉環形成部の各開口部に鍵やキーホルダの止め具等を挿通し、その後に、第一及び第二の閉環形成部を重ね合わせれば、第一の閉環部に、鍵や開口部を有しない閉環形状のキーホルダの止め具などを容易に取り付けることができる。
【００１６】
この他、請求項１又は請求項２に記載のキーリングにおける接続部は、請求項３に記載のようにバネ材で形成されているとよい。
請求項３に記載のキーリングでは、接続部がバネ材で形成されているから、第一及び第二の閉環形成部をその弾性で接触させるようにして、しっかりと重ね合わせることができる。結果、第二の閉環部に装着された鍵が振動しても、その振動が原因で、第一及び第二の閉環形成部が分離し、第二の閉環部が開口されるのを防止することができる。また、弾性力で第一及び第二の閉環形成部を重ね合わせることができるので、キーリングの構成を簡単にすることができる。
【００１７】
したがって請求項３に記載の発明によれば、キーリングを簡単な構成にすることができ、更には、第二の閉環部に鍵を脱離しないようにしっかりと取り付けることができる。また、請求項３に記載のキーリングによれば、弾性で第一及び第二の閉環形成部を重ね合わせているので、第一及び第二の閉環形成部を簡単に分離することができ、簡単に鍵を着脱することができる。
【００１８】
この他、請求項１〜請求項３のいずれかに記載のキーリングにおいては、請求項４に記載のように、第一及び第二の閉環形成部、及び接続部を、バネ線材で一体に形成するのがよい。
請求項４に記載のように線状のバネ材（バネ線材）を用いて第一及び第二の閉環形成部、及び接続部を一体に形成すれば、簡単で安価に、本発明のキーリングを作製することが可能である。
【００１９】
例えば、請求項１〜請求項３に記載のキーリングを、一本のバネ線材を折り曲げるなどして作製すれば、請求項４に記載のように第一の閉環形成部及び第二の閉環形成部及び接続部を、一体に形成することができる。また、型を用いて本発明のキーリングを形成することも可能である。
【００２０】
また、請求項１〜請求項４のいずれかに記載のキーリングにおいては、請求項５に記載のように、第一及び第二の閉環形成部の夫々が、互いに重ね合わされて接触する面とは反対方向に、一部反りかえされていると良い。
請求項５に記載のように、第一及び第二の閉環形成部を互いに反対方向に反り返すと、第一及び第二の閉環形成部の一面全体が互いに接触している場合よりも、鍵を着脱しやすい。つまり、第一及び第二の閉環形成部を反り返しておくと、重ね合わされた状態で、第一及び第二の閉環形成部の一部が非接触となり、第一及び第二の閉環形成部との間に隙間が形成される。
【００２１】
このため、その隙間に鍵の背部を挿入して、鍵の孔部に第一又は第二の閉環形成部を挿通すると、簡単に鍵を第二の閉環部に取り付けたり、第二の閉環部から鍵を抜きだすことができるのである。
尚、第一及び第二の閉環形成部における第二閉環部側の端に、反り返しを形成すれば、第二閉環部から鍵を抜きだしやすくすることができ、第一及び第二の閉環形成部における第二閉環部側とは反対側の端に、反り返しを形成すれば、第二閉環部に鍵を取り付けやすくすることができる。
【００２２】
この他、請求項１〜請求項５のいずれかに記載のキーリングにおいては、第一の閉環部と、第二の閉環部とが、同一平面上に形成されていると良い。このようにすれば、第一の閉環部を第二の閉環部に対して直角に形成するよりも、キーリングの厚みを抑えることができて、キーリングをコンパクトにすることができる。
【００２３】
【発明の実施の形態】
以下に本発明の実施例について、図面とともに説明する。
図１及び図２は、本発明が適用された第一実施例のキーリング１０の構成を表す説明図であり、図１（ａ）はキーリング１０の平面図、図１（ｂ）はキーリング１０の正面図、図１（ｃ）はキーリング１０の底面図、図１（ｄ）はキーリング１０の左側面図、である。また、図２（ａ）は、キーリング１０のＡ−Ａ断面図、図２（ｂ）は、キーリング１０のＢ−Ｂ断面図である。尚、キーリング１０の背面図は、キーリング１０の正面図と同一であるので、ここでは省略することにする。また同様に、キーリング１０の右側面図は、キーリング１０の左側面図と同一であるので、省略することにする。
【００２４】
第一実施例のキーリング１０は、一本のバネ線材（本実施例では直径１ｍｍのバネ線材）により作製されている。キーリング１０は、第一閉環部１０ａと、第二閉環部１０ｂと、を有し、第一閉環部１０ａは、第一閉環形成部１１及び第二閉環形成部１２の重ね合わせにより形成されている。
【００２５】
第一及び第二閉環形成部１１，１２は、同一半径の円環状にされ、開口部１１ａ，１２ａを有する開環形状にされている。また、第一及び第二閉環形成部１１，１２の各開口部１１ａ，１２ａは、第一及び第二閉環形成部１１，１２が互いに重ね合わされた状態で、互いに対称的な位置（図では、Ａ−Ａ一点鎖線に対して軸対称な位置）に配置されるようになっている。
【００２６】
尚、第一実施例では、バネ線材の一端を左方向に３１５°円弧状に湾曲させることにより、第一閉環形成部１１を形成し、バネ線材の他端を右方向に３１５°円弧状に湾曲させることにより、第一閉環形成部１１と軸対称な形状の第二閉環形成部１２を形成している。このような第一及び第二閉環形成部１１，１２は、互いに重ね合わされると、互いの開口部１１ａ，１２ａを閉塞して、第一閉環部１０ａを形成する。
【００２７】
一方、第二閉環部１０ｂは、第一及び第二閉環形成部１１，１２が重ね合わされると、接続部１３により形成される。接続部１３は、第一実施例において、両端に閉環形成部１１，１２が形成されたバネ線材の中央部からなり、第一及び第二閉環形成部１１，１２に接続されている。
【００２８】
第一実施例においては、両端に閉環形成部１１，１２が形成されたバネ線材の中央部を、それら一対の閉環形成部１１，１２が上下に重なり合い第一閉環部１０ａが形成されるまで円弧状に湾曲することにより、接続部１３を形成している。尚、本実施例ではこのように接続部１３を形成することにより、第二閉環形成部１２に重ね合わされた第一閉環形成部１１を、第二閉環形成部１２から分離可能にして、接続部１３を、第一及び第二閉環形成部１１，１２に接続している。
【００２９】
したがって、第一実施例のキーリング１０では、閉環形成部１１，１２が重ね合わされると、接続部１３が第一閉環部１０ａに隣り合う空間を環囲して、第二閉環部１０ｂが形成される。またこのキーリング１０における接続部１３は、閉環形成部１１，１２が重ね合わされていない状態（即ち、閉環形成部１１，１２が分離された状態）において、第二閉環部１０ｂを開口する。
【００３０】
このような構成のキーリング１０では、概略Ｕ字状の接続部１３を広げるようにして、キーリング１０を変形すると、図３に示すように、キーリング１０が開口して開環形状になる。したがって、その状態で、鍵２０の孔部２１に閉環形成部１１，１３を挿通すると、鍵２０を、接続部１３に吊り下げることができる。尚、図３は、キーリング１０の使用態様を表す説明図である。
【００３１】
また、第一実施例のキーリング１０における接続部１３はバネ線材により弾性を有することから、変形されたキーリング１０の接続部１３には、元の形状に回復しようとする復元力が働く。したがって、鍵２０を接続部１３に吊り下げた状態で、キーリング１０から手を離すと、キーリング１０は自然と、第一閉環形成部１１を第二閉環形成部１２に重ね合わせて、第一閉環部１０ａ及び第二閉環部１０ｂを形成する。その結果、接続部１３に挿通された鍵２０は、第二閉環部１０ｂ内で保持され、キーリング１０から抜け落ちることがないようにされる。
【００３２】
即ち、第一実施例のキーリング１０によれば、接続部１３を広げるように操作して、第一閉環形成部１１と第二閉環形成部１２とを分離すれば、従来の二重巻きキーリング７０のように、鍵２０を回す必要もなく、簡単に鍵２０を第二閉環部１０ｂに取り付けることができる。
【００３３】
また、第一閉環形成部１１及び第二閉環形成部１２は、開口部１１ａ，１２ａを有する開環形状にされていることから、第一閉環形成部１１と第二閉環形成部１２とを分離すれば、夫々の閉環形成部１１，１２にキーホルダのリング状の止め具２５などを挿通することができる。したがって、第一実施例のキーリング１０においては、第一閉環部１０ａに、キーホルダの止め具２５等を取り付けることができる。
【００３４】
その他、第一実施例のキーリング１０によれば、接続部１３を広げるように操作して、第一閉環形成部１１と第二閉環形成部１２とを分離することで、簡単に鍵２０をキーリング１０から取り外すことができる。
また、第一実施例のキーリング１０によれば、従来の二重巻きキーリング７０のように鍵を回して外さなくてよいから、キーリング１０が、複数回の鍵２０の着脱によって歪み、元の形状に回復しなくなってしまうのを抑制することができる。また、第一実施例においては、第一閉環部１０ａと、第二閉環部１０ｂとを、略同一平面上に並べて形成しているから、キーリング１０の厚みを抑えることができて、キーリング１０をコンパクトにすることができる。
【００３５】
以上、第一実施例のキーリング１０について説明したが、本発明のキーリングは第一実施例のキーリング１０に限定されず、種々の態様を取ることができる。例えば、第一閉環部１０ａ及び第二閉環部１０ｂの形状は、円環形状ではなく、その他の形状にしてもよい。
【００３６】
図４及び図５に示す第二実施例のキーリング３０は、主に、第一実施例のキーリング１０の第一閉環部１０ａの形状を、図４及び図５に示すように変更したものである。
ここで、図４及び図５は、本発明が適用された第二実施例のキーリング３０の構成を表す説明図であり、図４（ａ）はキーリング３０の平面図、図４（ｂ）はキーリング３０の正面図、図４（ｃ）はキーリング３０の底面図、図４（ｄ）はキーリング３０の左側面図、である。
【００３７】
また、図５（ａ）は、キーリング３０のＡ−Ａ断面図、図５（ｂ）は、キーリング３０のＢ−Ｂ断面図である。尚、キーリング３０の背面図は、キーリング３０の正面図と同一であるので、ここでは省略することにする。また同様に、キーリング３０の右側面図は、キーリング３０の左側面図と同一であるので、省略することにする。
【００３８】
第二実施例のキーリング３０は、第一実施例のキーリング１０と同様に、単一のバネ線材からなり、第一閉環部３０ａと第二閉環部３０ｂとを有している。第一閉環部３０ａは、丸みを帯びた三角形状に折曲され一部が開口された開環形状の第一閉環形成部３１及び第二閉環形成部３２、の重ね合わせにより構成されている。
【００３９】
第二実施例では、バネ線材の一方の端部を、左巻方向に折曲することにより開環形状の上記第一閉環形成部３１を形成し、バネ線材の他方の端部を、右巻方向に折曲することにより、第一閉環形成部３１の開口部３１ａとは対称的な位置に開口部３２ａを有する他は、ほぼ第一閉環形成部３１と同一形状で開環形状の第二閉環形成部３２を形成している。
【００４０】
この第一及び第二閉環形成部３１，３２は、互いに分離可能な状態で接続部３３に接続されており、分離された状態から重ね合わされて第一閉環部３０ａを形成する。尚、第二実施例において、接続部３３は、バネ線材の中央部にて構成され、第一実施例の接続部１３と同様に概略Ｕ字状にされている。
【００４１】
このような構成の第二実施例のキーリング３０では、第一実施例のキーリング１０と同様に、接続部３３を手で広げるようにして、キーリング３０を変形すると、第一閉環形成部３１から第二閉環形成部３２が分離し、接続部３３が第二閉環部３０ｂを開口して第二閉環部３０ｂを開環形状にする。したがって、その状態で、鍵２０の孔部２１に閉環形成部３１，３２を挿通すれば、鍵２０を、接続部３３に吊り下げることができる。
【００４２】
また、変形されたキーリング３０には、元の形状に回復しようとする復元力が働くから、鍵２０を接続部３３に吊り下げた状態で、キーリング３０から手を離すと、キーリング３０は自然と、第一閉環形成部３１及び第二閉環形成部３２を重ね合わせて、第一閉環部３０ａ及び第二閉環部３０ｂを形成する。その結果、接続部３３に挿通された鍵２０は、第二閉環部３０ｂ内で保持され、キーリング３０から抜け落ちることがない。
【００４３】
この他、第一閉環形成部３１及び第二閉環形成部３２は、開口部３１ａ，３２ａを有する開環形状にされているため、第一閉環形成部３１と第二閉環形成部３２とを分離すれば、夫々の閉環形成部３１，３２にリング状の止め具２５を挿通することができる。したがって、第二実施例のキーリング３０によれば、第一実施例のキーリング１０と同様の発明の効果が得られる。
【００４４】
続いて第三実施例のキーリング４０は、第二実施例のキーリング３０における第二閉環部３０ｂを、図６及び図７に示すように変更したものである。
ここで、図６及び図７は、本発明が適用された第三実施例のキーリング４０の構成を表す説明図であり、図６（ａ）はキーリング４０の平面図、図６（ｂ）はキーリング４０の正面図、図６（ｃ）はキーリング４０の底面図、図６（ｄ）はキーリング４０の左側面図、である。また、図７（ａ）は、キーリング４０のＡ−Ａ断面図、図７（ｂ）は、キーリング４０のＢ−Ｂ断面図である。尚、キーリング４０の背面図は、キーリング４０の正面図と同一であるので、ここでは省略することにする。また同様に、キーリング４０の右側面図は、キーリング４０の左側面図と同一であるので、省略することにする。
【００４５】
第三実施例のキーリング４０は、第二実施例のキーリング３０と同様に、単一のバネ線材から構成されており、第二実施例のキーリング３０と同一構成の開口部４１ａを有する第一閉環形成部４１及び開口部４２ａを有する第二閉環形成部４２により、第一閉環部４０ａを形成している。また、第一及び第二閉環形成部４１，４２は、互いに分離可能な状態で接続部４３に接続されている。
【００４６】
第三実施例の接続部４３は、バネ線材の中央部にて構成されており、概略コ字状にされている。即ち、第三実施例では、第一閉環形成部４１及び第二閉環形成部４２が重ね合うように、両端部に閉環形成部４１，４２を形成したバネ線材を２回同一方向（図では右方向）に折り曲げて、接続部４３及び第二閉環部４０ｂを形成している。第三実施例のキーリング４０によれば、第一実施例のキーリング１０及び第二実施例のキーリング３０と同様に、鍵２０の着脱が簡単であるといった効果を得ることができる。
【００４７】
この他、第一実施例のキーリング１０を第四実施例のような形状に変更すると、鍵２０がさらに取り付けやすくなり便利である。
図８及び図９は、本発明が適用された第四実施例のキーリング５０の構成を表す説明図であり、図８（ａ）はキーリング５０の平面図、図８（ｂ）はキーリング５０の正面図、図８（ｃ）はキーリング５０の底面図、図８（ｄ）はキーリング５０の左側面図、である。また、図９（ａ）は、キーリング５０のＡ−Ａ断面図、図９（ｂ）は、キーリング５０のＢ−Ｂ断面図である。尚、キーリング５０の背面図は、キーリング５０の正面図と同一であるので、ここでは省略することにする。また同様に、キーリング５０の右側面図は、キーリング５０の左側面図と同一であるので、省略することにする。
【００４８】
図８に示す第四実施例のキーリング５０は、第一実施例のキーリング１０と同様に、単一のバネ線材から構成されている。また、このキーリング５０における円環状の第一及び第二閉環形成部５１，５２は、バネ線材の中央部により形成された概略Ｕ字状の接続部５３に接続されている。その他、この第一及び第二閉環形成部５１，５２は、互いに重ね合わされた状態で、第一閉環部５０ａを形成する。
【００４９】
接続部５３は、第一実施例のキーリング１０と同様に、第二閉環形成部５２に重ね合わされた第一閉環形成部５１を、第二閉環形成部５２から分離可能な構成にされている。また、接続部５３は、上記一対の閉環形成部５１，５２が重ね合わされると、第一閉環部５０ａに隣り合う空間を環囲して、第二閉環部５０ｂを形成する。また、この接続部５３は、第一閉環形成部５１から第二閉環形成部５２が分離されると、第二閉環部５０ｂを開口する。
【００５０】
一方、第一及び第二閉環形成部５１，５２は夫々、同一半径の円環状で、開口部５１ａ，５２ａを有する開環形状にされており、第一及び第二閉環形成部５１，５２の各開口部５１ａ，５２ａは、第一及び第二閉環形成部５１，５２が重ね合わされた状態で、互いに対称的な位置に配置されるように形成されている。
【００５１】
また、第一及び第二閉環形成部５１，５２は、第一〜第三実施例のキーリング１０，３０，４０と同様に、互いの対向面が接触するようにして重ね合わされる。上述したように第一及び第二閉環形成部５１，５２の開口部５１ａ，５２ａは、互いに対称的な位置にあるから、第一及び第二閉環形成部５１，５２が、互いに接触するようにして重ね合わされると、第一閉環形成部５１の開口部５１ａは、第二閉環形成部５２により閉塞され、第二閉環形成部５２の開口部５２ａは、第一閉環形成部５１により閉塞されて、第一閉環部５０ａが形成される。
【００５２】
ただし、第一〜第三実施例のキーリング１０，３０，４０とは異なり、第四実施例のキーリング５０においては、第一及び第二閉環形成部５１，５２が重ね合わされた状態で、完全には接触せず、一部隙間５０ｃを形成するようにされている。
【００５３】
第一及び第二閉環形成部５１，５２の夫々は、互いに重ね合わされて接触する面とは反対方向に一部反り返されており、上記隙間５０ｃは、この反り返し５１ｂ，５２ｂにより形成される。尚、第四実施例におけるキーリング５０では、第一及び第二閉環形成部５１，５２を結ぶ接続部５３によって形成される第二閉環部５０ｂとは反対側に、反り返し５１ｂ，５２ｂが形成されている。
【００５４】
このような構成の第四実施例のキーリング５０では、反り返し５１ｂ，５２ｂによって形成された隙間５０ｃに鍵２０を背部を押し込めば、鍵２０の厚みで、第一閉環形成部５１及び第二閉環形成部５２が分離するように接続部５３が変形するから、接続部５３を手で広げるようにしなくても、簡単に鍵２０の孔部２１に閉環形成部５１，５２を挿通することができる。
【００５５】
また、鍵２０の孔部２１を閉環形成部５１，５２を介して接続部５３にまで挿通すれば、変形されたキーリング５０の復元力によって、キーリング５０は自然と、第一閉環形成部５１及び第二閉環形成部５２を重ね合わせて、第一閉環部５０ａ及び第二閉環部５０ｂを形成するから、利用者は、鍵２０を、キーリング５０から抜け落ちることがないようにして、簡単にキーリング５０に取り付けることができる。
【００５６】
この他、第一及び第二閉環形成部５１，５２は、開口部５１ａ，５２ａを有する開環形状にされているため、第一閉環形成部５１と第二閉環形成部５２とを分離すれば、夫々の閉環形成部５１，５２にリング状の止め具２５を挿通することができる。
【００５７】
尚、第四実施例では、反り返し５１ｂ，５２ｂを、第二閉環部５０ｂとは反対側に設けることによって、鍵２０の装着を容易にしたが、第五実施例のように、第二閉環部側に反り返しを設けてもよい。第二閉環部側に反り返しを設けると、鍵２０の脱離が容易にできるので、便利である。
【００５８】
図１０及び図１１は、第五実施例のキーリング６０の構成を表す説明図であり、図１０（ａ）はキーリング６０の平面図、図１０（ｂ）はキーリング６０の正面図、図１０（ｃ）はキーリング６０の底面図、図１０（ｄ）はキーリング６０の左側面図、である。また、図１１（ａ）は、キーリング６０のＡ−Ａ断面図、図１１（ｂ）は、キーリング６０のＣ−Ｃ断面図である。尚、キーリング６０の背面図は、キーリング６０の正面図と同一であるので、ここでは省略することにする。同様に、キーリング６０の右側面図は、キーリング６０の左側面図と同一であるので、省略することにする。
【００５９】
第五実施例のキーリング６０は、概ね第一実施例のキーリング１０と同様に構成にされており、開口部６１ａ，６２ａを有する開環形状の第一閉環形成部６１及び第二閉環形成部６２は、重ね合わされた状態で、互いに接触して、第一閉環部６０ａを形成する構成にされている。
【００６０】
また、第一及び第二閉環形成部６１，６２に接続されたバネ線材中央部からなる接続部６３は、第一実施例のキーリング１０と同様に、第一閉環形成部６１から第二閉環形成部６２を分離可能な構成にされ、第一閉環形成部６１及び第二閉環形成部６２をバネ力で重ね合わせることで、第一閉環部６０ａとは隣り合う位置に第二閉環部６０ｂを形成する構成にされている。また、接続部６３は、第一実施例のキーリング１０と同様に、第一閉環形成部６１から第二閉環形成部６２が分離されると、第二閉環部６０ｂを開口する。
【００６１】
その他、第五実施例において、第一及び第二閉環形成部６１，６２における第二閉環部６０ｂ側の端部は、互いに、接触面より反対方向に反り返されている。即ち、この第一及び第二閉環形成部６１，６２は、重ね合わされた状態で、第二閉環部６０ｂ側に、一部隙間６０ｃを形成する。
【００６２】
このような構成の第五実施例のキーリング６０では、反り返し６１ｂ，６２ｂによって形成された隙間６０ｃに鍵２０を背部を押し込めば、鍵２０の厚みで、第一閉環形成部６１及び第二閉環形成部６２が分離するように接続部６３が変形するから、第二閉環部６０ｂに取り付けられた鍵２０を、その第二閉環部６０ｂから簡単に取り外すことができる。
【００６３】
勿論、第一実施例のキーリング１０と同様に、第五実施例のキーリング６０によれば、接続部６３を広げるように操作して、第一閉環形成部６１と第二閉環形成部６２とを分離すれば、従来の二重巻きキーリング７０のように、鍵２０を回す必要もなく、簡単に鍵２０を第二閉環部６０ｂに取り付けることができる。また、第一閉環形成部６１及び第二閉環形成部６２は、開口部６１ａ，６２ａを有する開環形状にされているため、第一閉環形成部６１と第二閉環形成部６２とを分離すれば、夫々の閉環形成部６１，６２にキーホルダのリング状の止め具２５などを挿通することができる。
【００６４】
以上、本発明の実施例について説明したが、本発明のキーリングは、上記第一〜第五実施例に限定されるものではなく、種々の態様を採ることができる。
例えば、上記実施例では、一本のバネ線材を加工して、キーリング１０，３０，４０，５０，６０の第一閉環形成部及び第二閉環形成部及び接続部を一体に形成するようにしたが、必ずしも一体に形成する必要はなく、例えば、第一閉環形成部及び第二閉環形成部を別個で作製した後、バネ線材の接続部を第一閉環形成部及び第二閉環形成部に接続して、本発明のキーリングを作製してもよい。ただし、単一のバネ線材を用いて、第一閉環形成部及び第二閉環形成部及び接続部を一体に形成するようにすれば、簡単で安価に、本発明のキーリングを作製することが可能である。
【図面の簡単な説明】
【図１】第一実施例のキーリング１０の構成を表す説明図である。
【図２】第一実施例のキーリング１０の断面構成を表す説明図である。
【図３】第一実施例のキーリング１０の使用態様に関する説明図である。
【図４】第二実施例のキーリング３０の構成を表す説明図である。
【図５】第二実施例のキーリング３０の断面構成を表す説明図である。
【図６】第三実施例のキーリング４０の構成を表す説明図である。
【図７】第三実施例のキーリング４０の断面構成を表す説明図である。
【図８】第四実施例のキーリング５０の構成を表す説明図である。
【図９】第四実施例のキーリング５０の断面構成を表す説明図である。
【図１０】第五実施例のキーリング６０の構成を表す説明図である。
【図１１】第五実施例のキーリング６０の断面構成を表す説明図である。
【図１２】従来のキーリング７０，８０の構成に関する説明図である。
【符号の説明】
１０，３０，４０，５０，６０…キーリング、１０ａ，３０ａ，４０ａ，５０ａ，６０ａ…第一閉環部、１０ｂ，３０ｂ，４０ｂ，５０ｂ，６０ｂ…第二閉環部、１１，１２，３１，３２，４１，４２，５１，５２，６１，６２…閉環形成部、１１ａ，１２ａ，３１ａ，３２ａ，４１ａ，４２ａ，５１ａ，５２ａ，６１ａ，６２ａ…開口部、１３，３３，４３，５３，６３…接続部、２０…鍵、２１…孔部、２５…止め具、５０ｃ，６０ｃ…隙間、５１ｂ，５２ｂ，６１ｂ，６２ｂ…反り返し
【図１】
2004105277.tif 000003
【図２】
2004105277.tif 000004
【図３】
2004105277.tif 000005
【図４】
2004105277.tif 000006
【図５】
2004105277.tif 000007
【図６】
2004105277.tif 000008
【図７】
2004105277.tif 000009
【図８】
2004105277.tif 000010
【図９】
2004105277.tif 000011
【図１０】
2004105277.tif 000012
【図１１】
2004105277.tif 000013
【図１２】
2004105277.tif 000014